(57)【特許請求の範囲】
【請求項１】
燃料の供給によって電力を発生する発電部と、
前記発電部と着脱可能に接続し、前記燃料を収容し、前記発電部に前記燃料を供給する燃料容器と、
前記発電部の発電状態を検出する発電状態検出部と、
前記発電部または前記燃料容器の内部状態を検出する燃料検出部とを有し、
前記燃料容器は、
前記発電状態検出部が検出した発電検出値と、前記燃料検出部が検出した前記内部状態とにより、前記燃料容器と前記発電部との接続をロックするロック機構を制御する制御部と、
前記制御部に電力を供給する補助電源部とを有し、
前記制御部は、前記発電状態検出部が検出した発電検出値が所定値以下であり、前記燃料検出部が検出した前記内部状態が所定値以下であるとき、前記燃料容器と前記発電部との接続のロックを解除するように前記ロック機構を制御し、前記発電状態検出部が検出した発電検出値が所定値以上であり、前記燃料検出部が検出した前記内部状態が所定値以上であるとき、前記燃料容器と前記発電部との接続のロックを解除しないように前記ロック機構を制御することを特徴とする燃料電池。
【請求項２】
前記燃料検出部は、前記燃料容器の内圧を検出する圧力検出部であることを特徴とする請求項１に記載の燃料電池。
【請求項３】
前記燃料検出部は、前記燃料容器の温度を検出する温度検出部であることを特徴とする請求項１に記載の燃料電池。
【請求項４】
前記燃料検出部は、前記発電部の発電時間を検出する発電時間検出部であることを特徴とする請求項１に記載の燃料電池。
【請求項５】
前記燃料検出部は、前記補助電源部の出力電圧を検出する電圧検出部であることを特徴とする請求項１に記載の燃料電池。
【請求項６】
前記燃料容器は、前記発電状態と前記内部状態とに関する信号を発信する発信器を有することを特徴とする請求項１乃至請求項５のいずれか一項に記載の燃料電池。
【請求項７】
前記発電部は、前記発電検出値と前記内部状態とに関する信号を発信する発信器を有することを特徴とする請求項１乃至請求項５のいずれか一項に記載の燃料電池。
【請求項８】
前記補助電源部は、前記燃料の供給によって電力を発生することを特徴とする請求項１乃至請求項６のいずれか一項に記載の燃料電池。
【請求項９】
前記補助電源部は、充放電可能な二次電池であることを特徴とする請求項１乃至請求項７のいずれか一項に記載の燃料電池。
【請求項１０】
前記燃料容器は、前記制御部の制御に連動し、前記発電部への前記燃料の供給を制御する弁部を有することを特徴とする請求項１乃至請求項９のいずれか一項に記載の燃料電池。
【発明の詳細な説明】
【技術分野】
【０００１】
本発明は、燃料を収容するための燃料容器を有する燃料電池に関する。
【背景技術】
【０００２】
近年、ノートパソコンや携帯電話等の携帯機器用の電源として、発電効率の良さから燃料電池を用いる試みがなされている。
【０００３】
また、携帯機器用の電源に使用する燃料電池は、燃料電池の継続利用のために、燃料を保管する燃料容器の使用が想定されている（例えば、特許文献1参照）。燃料容器を燃料電池に用いる場合、燃料容器と燃料電池との固定が、燃料電池を安全に使用するために必要な課題となる。
【０００４】
そこで、燃料容器が不用意に外されないようにロック機構を設け、燃料電池本体を含む電源部や電源部の電力の供給を受けて動作している電子機器類の動作状態応じて燃料容器が交換可能なときにロック機構が解除される構成が考えられている（例えば、特許文献２参照。）。
【先行技術文献】
【特許文献】
【０００５】
【特許文献１】特開２００７−２１４０２９号公報
【特許文献２】特開２００６−３０２７３５号公報
【発明の概要】
【発明が解決しようとする課題】
【０００６】
しかしながら、上記特許文献２係る燃料電池では、ロックの制御に必要な情報処理や動作などに必要な動力源は燃料電池から得ている為、燃料電池が非発電状態であった場合は、ロックの制御ができない恐れがあり、また、燃料容器の残量の確認などの動作を行うことができない。
【０００７】
そこで、本発明は上記状況に鑑みてなされたもので、燃料電池から電力の供給を受けなくてもロックの制御や燃料容器の残量の確認を行うことが可能な燃料電池を提供することを目的とする。
【課題を解決するための手段】
【０００８】
上記課題を解決するために本発明の燃料電池の第１の特徴は、燃料の供給によって電力を発生する発電部と、発電部と着脱可能に接続し、燃料を収容し、発電部に燃料を供給する燃料容器と、発電部の発電状態を検出する発電状態検出部と、発電部または燃料容器の内部状態を検出する燃料検出部とを有し、燃料容器は、発電状態検出部が検出した発電検出値と、燃料検出部が検出した内部状態とにより、燃料容器と発電部との取り外しを制御する制御部と、制御部に電力を供給する補助電源部とを有することを要旨とする。
かかる特徴によれば、燃料電池から電力の供給を受けなくてもロックの制御や燃料容器の残量の確認を行うことができる。
【０００９】
また、本発明の燃料電池の第２の特徴は、制御部が発電状態検出部が検出した発電検出値が所定値以下であり、燃料検出部が検出した内部状態が所定値以下であるとき、燃料容器と発電部とを取り外し可能に制御し、発電状態検出部が検出した発電検出値が所定値以上であり、燃料検出部が検出した内部状態が所定値以上であるとき、燃料容器と発電部とを取り外し不可能に制御することを要旨とする。
かかる特徴によれば、燃料電池の状態に応じて燃料容器の交換を制御することができる。
【００１０】
また、本発明の燃料電池の第３の特徴は、第１乃至第２のいずれかの特徴の燃料電池において、燃料検出部は、燃料容器の内圧を検出する圧力検出部であることを要旨とする。
かかる特徴によれば、燃料容器の内圧を把握し、内圧に応じて燃料容器の交換を制御することができる。特に燃料容器の内圧が高く、燃料容器の取り扱いに危険が伴うようなときには、燃料容器を取り外すことができないようにすることができる。
【００１１】
また、本発明の燃料電池の第４の特徴は、第１乃至第２のいずれかの特徴の燃料電池において、燃料検出部は燃料容器の温度を検出する温度検出部であることを要旨とする。
かかる特徴によれば、燃料容器の温度を把握し、温度に応じて燃料容器の交換を制御することができる。特に燃料容器が高温で燃料容器の取り扱いに危険が伴うような状態のときには、燃料容器を取り外すことができないようにすることができる。
【００１２】
また、本発明の燃料電池の第５の特徴は、第１乃至第２のいずれかの特徴の燃料電池において、燃料検出部は発電部の発電時間を検出する発電時間検出部であることを要旨とする。
かかる特徴によれば、発電部の発電時間を把握し、燃料容器の交換を制御に反映することができる。
【００１３】
また、本発明の燃料電池の第６の特徴は、第１乃至第２のいずれかの特徴の燃料電池において、燃料検出部は補助電源部の出力電圧を検出する電圧検出部であることを要旨とする。
かかる特徴によれば、補助電源部の出力電圧を把握し、燃料容器の交換を制御に反映することができる。
【００１４】
また、本発明の燃料電池の第７の特徴は、第１乃至第６のいずれかの特徴の燃料電池において、燃料容器に、発電検出値と内部状態とに関する信号を発信する発信器を有することを要旨とする。発信器は使用者の注意を引くものであれば良く、例えば、液晶ディスプレイなどの表示器やブザー、ＬＥＤの点灯、点滅などがある。
かかる特徴によれば、使用者が燃料容器の状態や交換時のサインを確認することができる。
【００１５】
また、本発明の燃料電池の第８の特徴は、第１乃至第６のいずれかの特徴の燃料電池において、発電部に、発電検出値と内部状態とに関する信号を発信する発信器を有することを要旨とする。発信器は使用者の注意を引くものであれば良く、例えば、液晶ディスプレイなどの表示器やブザー、ＬＥＤの点灯、点滅などがある。
かかる特徴によれば、使用者が燃料容器の状態や交換時のサインを確認することができる。
【００１６】
また、本発明の燃料電池の第９の特徴は、第１乃至第７のいずれかの特徴の燃料電池において、補助電源部は、燃料の供給によって電力を発生することを特徴とする。
かかる特徴によれば、発電部が発電していない場合でも燃料容器の取り外しの制御が可能であり、またカートリッジが取り外された状態であっても燃料容器の残量の確認を行うことが可能である。
【００１７】
また、本発明の燃料電池の第１０の特徴は、第１乃至第８のいずれかの特徴の燃料電池において、補助電源部が二次電池であることを要旨とする。
かかる特徴によれば、カートリッジが取り外された状態であっても燃料容器の残量の確認を行うことが可能である。
【００１８】
また、本発明の燃料電池の第１１の特徴は、第１の特徴乃至第１０のいずれかの特徴の燃料電池において、制御部の制御に連動し、発電部への燃料の供給を制御する弁部を有することを要旨とする。
かかる特徴によれば、燃料容器と発電部との接続を断つ際に弁部を閉とし燃料の漏洩を防ぐことができる。
【発明の効果】
【００１９】
本発明によれば、燃料電池から電力の供給を受けなくてもロックの制御や燃料容器の残量の確認を行うことが可能な燃料電池を提供することが可能である。
【図面の簡単な説明】
【００２０】
【図１】本発明の実施形態１に係る燃料電池の概略構成図である。
【図２】本発明の実施形態１に係る燃料容器の概略構成図である。
【図３】本発明の実施形態１に係る燃料電池の概略構成図である。
【図４】本発明の実施形態２に係る燃料容器の概略構成図である。
【図５】本発明の実施形態３に係る燃料容器の概略構成図である。
【図６】本発明の実施形態４に係る別の燃料容器の概略構成図である。
【図７】本発明の実施形態５に係る燃料容器の概略構成図である。
【発明を実施するための形態】
【００２１】
次に、図面に示す実施の形態に基づいて、本発明を詳細に説明する。
（第１実施形態）
図１、図２、図３は、本発明の第１の実施の形態における燃料電池の例を示す。
図１に示すように、燃料電池１００は、容器１０５と、容器１０５に接続可能な燃料容器１とを有する。容器１０５は、燃料容器１の燃料で発電する発電部１０１と、発電部１０１の発電状態を検出する発電状態検出部１０３とを有する。
【００２２】
燃料容器１は、図２に示すように、燃料を収容する燃料収容部２と、図１に示す燃料電池１００の発電部１０１へ燃料を供給する為の経路を形成する接続部３と、燃料容器１の交換を制御する制御部５と、燃料収容部２に収容されている燃料を用いて発電する補助電源部６と、補助電源部６の内部状態の１つである出力電圧を検出する燃料検出部７と燃料収容部２と発電部１０１との燃料の流通の開閉を行う弁部８とを有する。また、接続部３は、制御部５に制御され、発電部１０１と燃料容器１との接続のためのロック機構４を有する。
制御部５は、補助電源部６の出力電圧を検出する。補助電源部６は、制御部５と燃料検出部７とロック機構４に電力を供給する。
【００２３】
燃料電池１００は、メタノールを還元剤として大気中の酸素を酸化剤として燃料とする燃料電池を用い、発電部１０１の出力電流と出力電圧を検出する発電状態検出部１０３を備える。発電状態検出部１０３の検出信号は通信端子１０２と通信端子１６を介して制御部５に伝達する。燃料収容部２にはメタノールを加圧した状態で封入してもよい。なお、発電部１０１はメタノールを燃料とする燃料電池ではなく、燃料容器１と水素を燃料として発電する発電部との間に改質器を設けてもよい。
【００２４】
接続部３は、発電部１０１と接続していないときは燃料収容部２に収容されている燃料が外部環境に流出しないように、ノーマリークローズド型の弁機構を有している弁を有することが望ましい。
【００２５】
ロック機構４は、燃料容器１と発電部１０１とを接続する際にはロック機能がフリー状態であるラッチ機構を有し、燃料容器１を発電部１０１から取り外す際には制御部５からの接続解除信号が無ければロックを解除し燃料容器が取り外せない構造である。なお、接続の解除の際には燃料容器１と発電部１０１とが接続されているときに使用者が不用意に燃料容器１を外すことができないような構成であれば良く、ロック機構４を接続部３に備えても、燃料容器１に備えてもよい。
【００２６】
また、図３に示すように、燃料収容部２の燃料の残量を表示し、燃料容器１を発電部１０１から取り外しが可能であるか否かを表示する為の液晶ディスプレイを発信器１０４として燃料電池１００に設置してもよい。燃料の残量の検出は、燃料電池の出力電流を検出し積算した値を燃料が持つ化学量論的計算より求めた制御部５が記憶している総電気量から減算することで燃料の残量を求める。燃料の残量は制御部５に記憶し、求められた燃料の残量を発信器１０４に表示するように構成する。また、発信器１０４を燃料容器１に設置することによって、燃料容器１が発電部１０１から取り外された状態でも補助電源部６の発電によって燃料の残量を発信器１０４によって表示することができる。
【００２７】
制御部５は、発電部１０１の発電状態を検出する発電状態検出部１０３からの発電状態信号と燃料検出部７が検出する出力電圧とが送信される。発電部１０１が発電状態である場合は、発電部１０１に接続する負荷が電力を要求している状態であるため、そのときに発電部１０１と燃料容器１との接続を解除した場合、発電部１０１への燃料の供給が経たれるため、発電部１０１での発電が滞り、負荷に十分な電力を供給できない恐れが生じる。さらに、燃料検出部７において、補助電源部６の出力電圧が一定以上検出される場合は、収容部２の燃料が所定以上残っている場合であるため、発電部１０１と燃料容器１との接続を解除した場合、燃料が収容部２から漏れ出したり、あるいは収容部２に残る燃料が無駄となる。
【００２８】
制御部５は、燃料収容部２に燃料が所定以上残っており補助電源部６の出力電圧が所定値以下である場合あり、かつ発電状態検出部１０３からの発電状態信号が発電部１０１の出力が検出されている状態の間は、ロック機構４のロックを解除しない信号をロック機構４に送信し、ロック機構４のロックの解除を行わない構成である。逆に、制御部５は、燃料収容部２に燃料が所定以下であり、補助電源部６から開回路電圧が得られておらず、かつ発電状態検出部１０３からの発電状態信号が発電部１０１の出力が検出されていない状態のときは、ロック機構４のロックを解除する信号をロック機構４に送信し、ロック機構４のロックの解除を行う構成である。
【００２９】
以下に、補助電源部６の標準的な出力電圧である開回路電圧が０．７４Ｖである場合の制御部５のロック機構４の具体的な解除の制御について説明する。
燃料収容部２の燃料が所定以下となり開回路電圧が０．５Ｖ以下のときであり、発電部１０１の出力電流が０Ａ以下のとき、制御部５は、弁部８を閉状態としてからロック機構４のロック状態を解除し、燃料容器１の取り外しを可能とする。なお、発電状態検出部１０３の発電状態信号の値は、測定誤差やノイズの影響を考慮し、燃料電池の出力電流が０Ａ以下であることと等価であればよい。
【００３０】
逆に、補助電源部６の開回路電圧が０．５Ｖより高いか、あるいは発電部１０１の出力電流が０Ａより高いときは、制御部５はロック機構４のロック状態を解除しない。
また、弁部８は、ロック機構４と連動して動作するように構成し、発電部１０１に燃料容器１を接続しロック機構４がロック状態となると弁部８は開状態となり、ロック機構４のロック状態が解除される際には、弁部８が閉状態となるように制御部５が制御するように構成する。
また、燃料容器１を発電部１０１から取り外し可能な条件のときに、制御部５は、発信器１０４に燃料容器１を取り外し可能であることを示すアイコンを表示させる構成とすると、使用者が安全に燃料容器１を取り外すタイミングがわかりやすくなる。
【００３１】
（第２実施形態）
図４は、本発明の第２の実施の形態における燃料電池の例を示す。
前述した第１実施形態と共通する構成については、同じ符号とし、説明は省略する。
【００３２】
前述した第１実施形態と異なる点は、燃料収容部２の代わりに、燃料源を収容し化学反応によって発電部１０１の燃料となる水素を生成する反応部９を用いた点である。反応部９には固体の水素発生物質を配置する。反応部９と逆止弁１１を介して接続する溶液収容部１０には、水素発生物質と化学反応し水素を発生する酸性水溶液を封入する。逆止弁１１は反応部９で発生した水素が溶液収容部１１に逆流しないように配置するものである。また、燃料検出部１２として、反応部９の内圧を検出する圧力センサーを備える点である。燃料検出部１２の出力信号は、制御部５に入力する。このとき、燃料検出部１２は補助電源部６から電力の供給を受ける構成とすると、燃料容器２の小型化に貢献する。
【００３３】
以下に、制御部５のロック機構４の制御について説明する。
制御部５は、発電部１０１の発電状態を検出する発電状態検出部１０３からの発電状態信号と燃料検出部７が検出する出力電圧とが送信される。発電部１０１が発電状態である場合は、発電部１０１に接続する負荷が電力を要求している状態であるため、そのときに発電部１０１と燃料容器１との接続を解除した場合、発電部１０１への燃料の供給が経たれるため、発電部１０１での発電が滞り、負荷に十分な電力を供給できない恐れが生じる。さらに、燃料検出部１２である圧力センサーが反応部の圧力を一定以上検出する場合は、収容部２の燃料が所定以上残っている場合であるため、発電部１０１と燃料容器１との接続を解除した場合、燃料が収容部２から漏れ出したり、あるいは収容部２に残る燃料が無駄となる。
【００３４】
制御部５は、燃料収容部２に燃料が所定以上残っており、反応部の圧力が所定値以上である場合であり、かつ発電状態検出部１０３からの発電状態信号が発電部１０１の出力が検出されている状態の間は、ロック機構４のロックを解除しない信号をロック機構４に送信し、ロック機構４のロックの解除を行わない構成である。逆に、制御部５は、燃料収容部２に燃料が所定以下であり、反応部の圧力を一定以下であり、かつ発電状態検出部１０３からの発電状態信号が発電部１０１の出力が検出されていない状態のときは、ロック機構４のロックを解除する信号をロック機構４に送信し、ロック機構４のロックの解除を行う構成である。
【００３５】
以下に、制御部５のロック機構４の具体的な解除の制御例について説明する。
制御部５は、発電状態検出部１０３の発電部１０１の出力電流の検出値が０Ａ以下であって、かつ燃料検出部１２の検出値が、絶対圧で１気圧以下のとき、弁部８を閉としてロック機構４のロック状態を解除する。逆に、発電状態検出部１０３の発電部１０１の出力電流の検出値が０Ａより大きいか、あるいは燃料検出部１２の検出値が、絶対圧で１気圧より高いとき、制御部５はロック機構４のロック状態を解除しない。
【００３６】
なお、燃料容器１を取り外し可能とする為の燃料検出部１２の検出値は、必ずしも１気圧以下で無くても良く、燃料容器１や発電部１０１の耐圧に応じて変更することが可能である。また、逆止弁１１の代わりに電磁弁を用い、圧力センサーの検出値をフィードバックして酸性溶液の供給制御を制御部５において行ってもよい。この際には、余剰な水素の生成を防止する為に、発電状態検出部１０３による発電部１０１の出力電流が０Ａのときは、電磁弁を閉状態とすることが望ましい。
【００３７】
（第３実施形態）
図５は、本発明の第３の実施の形態における燃料電池の例を示す。
前述した第２実施形態と共通する構成については、同じ符号とし、説明は省略する。
前述した第２実施形態と異なる点は、燃料検出部１２の圧力センサーの代わりに、燃料検出部１３として温度センサーを用いた点である。燃料検出部１３は補助電源部６から電力の供給を受け、燃料容器１の表面温度を検出し、検出値を制御部５に送信する構成である。
【００３８】
以下に、制御部５のロック機構４の制御について説明する。
制御部５は、発電部１０１の発電状態を検出する発電状態検出部１０３からの発電状態信号と燃料検出部７が検出する出力電圧とが送信される。発電部１０１が発電状態である場合は、発電部１０１に接続する負荷が電力を要求している状態であるため、そのときに発電部１０１と燃料容器１との接続を解除した場合、発電部１０１への燃料の供給が経たれるため、発電部１０１での発電が滞り、負荷に十分な電力を供給できない恐れが生じる。さらに、燃料検出部１３である温度センサーが反応部の温度を一定以上検出する場合は、反応部が高温となっており、使用者が燃料容器に触れることは、危険である。
【００３９】
制御部５は、燃料収容部２に燃料が所定以上残っており、反応部の温度が所定値以上である場合であり、かつ発電状態検出部１０３からの発電状態信号が発電部１０１の出力が検出されている状態の間は、ロック機構４のロックを解除しない信号をロック機構４に送信し、ロック機構４のロックの解除を行わない構成である。逆に、制御部５は、燃料収容部２に燃料が所定以下であり、反応部の温度が一定以下であり、かつ発電状態検出部１０３からの発電状態信号が発電部１０１の出力が検出されていない状態のときは、ロック機構４のロックを解除する信号をロック機構４に送信し、ロック機構４のロックの解除を行う構成である。
【００４０】
以下に、制御部５のロック機構４の具体的な解除の制御例について説明する。
制御部５は、発電状態検出部１０３の発電部１０１の出力電流の検出値が０Ａ以下であって、かつ燃料検出部１３の検出値が、４０℃以下の燃料容器１を発電部１０１から取り外し可能な条件のとき、弁部８を閉としてロック機構４のロック状態を解除し、使用者によって燃料容器１の取り外しを可能とする。逆に発電状態検出部１０３の発電部１０１の出力電流の検出値が０Ａより大きく、あるいは燃料検出部１３の検出値が４０℃より高いとき、制御部５はロック機構４のロック状態を解除しない。なお、燃料容器１を取り外し可能とする為の燃料検出部１３の検出値は必ずしも４０℃以下で無くても良く、使用者が取り扱いの際に危険でない温度に変更することが可能である。
【００４１】
（第４実施形態）
図６は、本発明の第４の実施の形態における燃料容器の例を示す。
前述した第３実施形態と共通する構成については、同じ符号とし、説明は省略する。
前述した第３実施形態と異なる点は、燃料検出部１３の温度センサーの代わりに、燃料検出部１６にロック機構４がロックしている時間を検出するタイマー１７を備える点である。
【００４２】
以下に、制御部５のロック機構４の制御について説明する。
制御部５は、発電部１０１の発電状態を検出する発電状態検出部１０３からの発電状態信号と燃料検出部７が検出する出力電圧とが送信される。発電部１０１が発電状態である場合は、発電部１０１に接続する負荷が電力を要求している状態であるため、そのときに発電部１０１と燃料容器１との接続を解除した場合、発電部１０１への燃料の供給が経たれるため、発電部１０１での発電が滞り、負荷に十分な電力を供給できない恐れが生じる。さらに、燃料検出部１６であるタイマーがロック機構４がロックしている時間を一定以上検出する場合は、反応部９が発電部１０１に燃料を供給するために反応し続けており、反応部９が高温となっていると判断でき、使用者が燃料容器に触れることは、危険である。
【００４３】
制御部５は、燃料収容部２に燃料が所定以上残っており、ロック機構４がロックしている時間が所定時間以上である場合であり、かつ発電状態検出部１０３からの発電状態信号が発電部１０１の出力が検出されている状態の間は、ロック機構４のロックを解除しない信号をロック機構４に送信し、ロック機構４のロックの解除を行わない構成である。逆に、制御部５は、燃料収容部２に燃料が所定以下であり、ロック機構４がロックしている時間が一定以下であり、かつ発電状態検出部１０３からの発電状態信号が発電部１０１の出力が検出されていない状態のときは、ロック機構４のロックを解除する信号をロック機構４に送信し、ロック機構４のロックの解除を行う構成である。
【００４４】
以下に、制御部５のロック機構４の具体的な解除の制御例について説明する。
燃料検出部１６は、発電状態検出部１０３の発電部１０１の出力電流の検出値が０Ａ以下になってからの時間を計時する構成とする。燃料検出部１６による計時が１０分以上のとき、制御部５は、弁部８を閉としてロック機構４のロック状態を解除し、使用者によって燃料容器１の取り外しを可能とさせる構成とする。燃料検出部１６による計時が１０分未満のときは、制御部５はロック機構４のロック状態を解除しない。なお、燃料容器１を取り外し可能とする為の計時時間は１０分で無くても良く、燃料容器１を取り外し燃料容器１を安全に取り扱いができるだけの十分な時間を確保すればよい。
【００４５】
（第５実施形態）
図７は、本発明の第４の実施の形態における燃料容器の例を示す。
前述した第３実施形態と共通する構成については、同じ符号とし、説明は省略する。
前述した第３実施形態と異なる点は、補助電源部６の燃料電池の代わりに、補助電源部１５としてリチウムイオン二次電池を用いた点である。補助電源部１５は、発電部１０１の出力によって充電され、燃料容器１のロック機構４、制御部５、弁部８、燃料検出部１３に電力を供給する構成とした。
【００４６】
本発明は上述した実施形態に限定されるものではなく、その主旨を逸脱しない範囲で種々変更して実施することができる。
【産業上の利用可能性】
【００４７】
本発明は、燃料電池及び燃料電池装置の産業分野で利用することができる。
【符号の説明】
【００４８】
１              燃料容器
２              燃料収容部
３、１４        接続部
４              ロック機構
５              制御部
６、１５        補助電源部
７、１２、１３  燃料検出部
８              弁部
９              反応部
１０            溶液収容部
１１            逆止弁
１６、１０２    通信端子
１００          燃料電池
１０１          発電部
１０３          発電状態検出部
１０４          発信器
１０５          容器
【図１】
0005841396.tif 000002
【図２】
0005841396.tif 000003
【図３】
0005841396.tif 000004
【図４】
0005841396.tif 000005
【図５】
0005841396.tif 000006
【図６】
0005841396.tif 000007
【図７】
0005841396.tif 000008